(57)【特許請求の範囲】
【請求項１】
振れ検出手段と、撮影レンズユニット内に配置され且つ光学的に像振れ補正を行う像振れ補正手段と、前記振れ検出手段の出力に基づいて前記像振れ補正手段を制御する制御手段と、前記像振れ補正手段の駆動可能な補正範囲を変更する変更手段と、前記撮影レンズユニット内に配置され且つ撮像素子に入射する光量を減衰させるフィルタ手段と、を有する光学機器であって、
前記変更手段は、前記フィルタ手段による光量減衰量が大きくなるに従って前記像振れ補正手段の駆動可能な補正範囲を狭め、
前記変更手段は、前記フィルタ手段の光路への挿入方向と前記像振れ補正手段の駆動方向が同じであるときに前記像振れ補正手段の補正範囲の変更を行うことを特徴とする光学機器。
【請求項２】
前記変更手段は、前記フィルタ手段の位置に基づいて、前記像振れ補正手段の補正範囲を変更することを特徴とする請求項１に記載の光学機器。
【請求項３】
前記変更手段は、前記光量減衰量と前記像振れ補正手段による補正範囲が対応付けられたテーブルを参照することで、前記像振れ補正手段の補正範囲を変更すること特徴とする請求項１に記載の光学機器。
【請求項４】
前記撮影レンズユニットに配置され、被写体像の変倍を行う変倍手段と、
前記変倍手段による前記撮影レンズユニットの焦点距離を検出する焦点距離検出手段と、
をさらに有し、
前記変更手段は、前記フィルタ手段による光量減衰量に加えて、前記焦点距離検出手段の出力によって前記像振れ補正手段の補正範囲を変更することを特徴とする請求項１乃至３の何れか一項に記載の光学機器。
【請求項５】
前記撮影レンズユニットに配置され、前記撮像素子に入射する光量を変化させる絞り手段と、前記絞り手段の位置を検出する絞り位置検出手段と、を備え、
前記絞り手段が動作する方向に同じ量だけ前記フィルタ手段を移動させることを特徴とする請求項１乃至４の何れか一項に記載の光学機器。
【請求項６】
振れを検出する振れ検出工程と、撮影レンズユニット内に配置され且つ光学的に像振れ補正を行う像振れ補正手段を前記振れ検出工程で得られた出力に基づいて制御する制御工程と、前記像振れ補正手段の駆動可能な補正範囲を変更する変更工程と、を有する光学機器の制御方法であって、
前記変更工程にて、撮像素子に入射する光量を減衰させるフィルタ手段による光量減衰量が大きくなるに従って前記像振れ補正手段の駆動可能な補正範囲を狭め、
前記変更工程にて、前記フィルタ手段の光路への挿入方向と前記像振れ補正手段の駆動方向が同じであるときに前記像振れ補正手段の補正範囲の変更を行うことを特徴とする光学機器の制御方法。
【発明の詳細な説明】
【技術分野】
【０００１】
本発明は振れ補正機能を備えた光学機器およびその制御方法に関する。
【背景技術】
【０００２】
デジタルカメラやデジタルビデオカメラ等の光学機器に搭載されている振れ補正装置のひとつとして、撮像レンズユニット内の一部のレンズ（以下、シフトレンズ）を光軸と垂直方向に駆動し、光軸を変化させることにより補正を行う、光学式の振れ補正装置がある。
【０００３】
このシフトレンズは、通常変倍レンズと撮像素子の間に配置されているため、焦点距離により補正敏感度が変化する。そのため、シフトレンズの移動量が一定の場合、焦点距離により補正可能な角度が変化することとなり、たとえばワイド端とテレ端の焦点距離差が１０倍のレンズでは、テレ側に対してワイド側での補正可能な角度は約１０倍となる。
【０００４】
これに対し、上述した構成のレンズの有効像円は、通常ワイド側よりもテレ側で広くなるため、テレ側の方が、画面周辺部の片側で光量が落ちる量（いわゆる周辺光量の低下）は少ない。このため、ワイド側でのシフトレンズの移動量（補正角度）を制限しない構成を取ると、シフトレンズが端近くに位置した場合に周辺光量の低下によるアンバランスが目立つようになる。
【０００５】
シフトレンズ動作時の周辺光量落ちのアンバランスを緩和する方法として、特許文献１には、シフトレンズの動きに応じて前記周辺光量落ち補正を行う中心座標を変化させる手法が提案されている。また、特許文献２には、焦点距離および絞りの開口径に応じてシフトレンズの駆動範囲を変更するという手法も提案されている。
【先行技術文献】
【特許文献】
【０００６】
【特許文献１】特開２００６−１６５７８４号公報
【特許文献２】特開２００６−２５９５６８号公報
【発明の概要】
【発明が解決しようとする課題】
【０００７】
しかしながら、上述の特許文献に開示された方法では、以下の課題が発生する。すなわち、デジタルビデオカメラ等の光学機器では、小絞り時の回折現象を緩和するために、入射光量制限フィルタ（以下、ＮＤフィルタ）が本体内に配置されている。このＮＤフィルタには、いくつかの種類があるが、基本的には絞りが所定の値となった時に光路に挿入され、入射光量の制限を行う。そのため、このＮＤフィルタの光路へのかかり方でも周辺光量にアンバランスが生じることになる。
【０００８】
その結果、ワイド側でシフトレンズの動きが大きい場合は、ＮＤフィルタのかかり方による周辺光量のアンバランスがより強調されることになる。
【０００９】
よって、本発明は、ＮＤフィルタが光路に挿入された場合に、振れ補正が行われても、ＮＤフィルタのかかり方による周辺光量のアンバランスが目立ちにくい光学機器を提供することを目的としている。
【課題を解決するための手段】
【００１０】
本発明の光学機器は、振れ検出手段と、撮影レンズユニット内に配置され且つ光学的に像振れ補正を行う像振れ補正手段と、前記振れ検出手段の出力に基づいて前記像振れ補正手段を制御する制御手段と、前記像振れ補正手段の駆動可能な補正範囲を変更する変更手段と、前記撮影レンズユニット内に配置され且つ撮像素子に入射する光量を減衰させるフィルタ手段と、を有する光学機器であって、
前記変更手段は、前記フィルタ手段による光量減衰量が大きくなるに従って前記像振れ補正手段の駆動可能な補正範囲を狭め、
前記変更手段は、前記フィルタ手段の光路への挿入方向と前記像振れ補正手段の駆動方向が同じであるときに前記像振れ補正手段の補正範囲の変更を行うことを特徴としている。
【発明の効果】
【００１１】
以上、説明したように、本発明によれば、振れ補正が行われても、ＮＤフィルタのかかり方による周辺光量のアンバランスが目立ちにくい光学機器を提供することが可能となる。
【図面の簡単な説明】
【００１２】
【図１】第１の実施形態の構成を示したブロック図である。
【図２】ＮＤフィルタ１３３の構成例を示した図である。
【図３】ＮＤフィルタ１３３の光路への挿入動作を示した図である。
【図４】第１の実施形態の動作を示すマイコン１２０の制御フローチャートである。
【図５】ＮＤフィルタ１３３の光路への挿入度合いに応じたシフトレンズ１３４のリミッタの変化を示した図である。
【図６】（Ａ）シフトレンズ１３４の駆動範囲のリミッタを変更しないときの、像高に対する周辺光量変化を示した図である。（Ｂ）本実施例におけるシフトレンズ１３４の駆動範囲のリミッタを変更することによる周辺光量変化を示した図である。
【図７】第２の実施形態の動作を示すマイコン内フローチャートである。
【図８】第３の実施形態の構成を示したブロック図である。
【図９】ＮＤフィルタ８０１が絞り８０２に貼り付けられたタイプの絞りの開口径とＮＤフィルタの関係を示した図である。
【図１０】第３の実施形態の動作を示すマイコン８０６の制御フローチャートである。
【発明を実施するための形態】
【００１３】
本発明を実施するための形態は、以下の実施形態に記載される通りである。ただし、本発明はこの実施形態に限定されず、その要旨の範囲内で種々の変形及び変更が可能である。
【００１４】
＜第１の実施形態＞
図１は本発明の第１の実施の形態に係る光学機器の例であるデジタルビデオカメラ１００の構成を示すブロック図である。なお、マイコン１２０は、振れ補正、ＡＦ、ズーム、ＡＥを始めとして、光学機器全体を制御するが、ここでは簡略化のため、本発明に必要な構成のみを示している。
【００１５】
角速度センサ１０１は光学機器の振れを検出する。ハイパスフィルタ１０２は、角速度センサ１０１の出力（角速度信号）からドリフト成分等を除去している。アンプ１０３は、ハイパスフィルタ１０２にてドリフト成分が除去された角速度信号を増幅している。そしてアンプ１０３にて増幅された信号はマイコン１２０内のＡ／Ｄコンバータ１０４へと出力される。
【００１６】
Ａ／Ｄコンバータ１０４は、角速度信号をアナログ信号からデジタル信号に変換することで角速度データとする。そしてこの角速度データに対し、振れ補正量算出部１０５は角度信号を生成する。焦点距離補正部１０６は、振れ補正量算出部１０５の出力（角度信号）に対して、焦点距離に応じた補正を行うことで、シフトレンズ１３４の駆動目標値とする。変更手段としての補正リミッタ設定部１０７は、シフトレンズ１３４の駆動目標値を変更する部分であり、詳細は後述する。
【００１７】
一方、マイコン１２０に内蔵されているもう一つのＡ／Ｄコンバータ１１７は、シフトレンズ１３４の位置センサ１１５出力をアンプ１１６にて増幅した出力をデジタル信号に変換し、シフトレンズ１３４の位置データとしている。加算器１１１はシフトレンズ１３４の現在の位置データと駆動目標値との差分（補正量）を計算する。なお、加算器１１１の出力が、実際にシフトレンズ１３４を駆動するための補正量となる。
【００１８】
低域通過フィルタ（ＬＰＦ）１１２は、シフトレンズドライバ１１４による駆動騒音を低減するためのフィルタである。そして、ＰＷＭ部１１３はＬＰＦ１１２の出力をＰＷＭ（Ｐｕｌｓｅ  Ｗｉｄｔｈ  Ｍｏｄｕｌａｔｉｏｎ：パルス幅変調）し、マイコン１２０よりＰＷＭ出力として出力される。このＰＷＭ出力によりシフトレンズドライバ１１４を介してシフトレンズ１３４が駆動される。以上の動作により振れ補正が行われる。
【００１９】
次に、本実施例でのレンズユニットについて説明する。デジタルビデオカメラ１００は、撮影レンズユニットとして、被写体側から順に、固定レンズ群１３０、ズームレンズ１３１、シフトレンズ１３４、フォーカスコンペレンズ１３５のレンズを有している。そして、絞り１３２とＮＤフィルタ１３３がズームレンズ１３１とシフトレンズ１３４の間に、光路に対して挿入可能に配置されている。なお、特にシフトレンズ１３４は、光軸に直交する方向に所定の範囲内を駆動可能な、光学的に像振れ補正を行う補正手段として機能する。
【００２０】
本実施例でのレンズユニットでは、シフトレンズ１３４は、ズームレンズ１３１よりも撮像素子１３６側に配置されている。この構成では、シフトレンズ移動量が一定の場合、振れ補正が可能となる角度は、焦点距離によって変化する。例えばズーム倍率が１０倍のとき、テレ端での補正可能角度が±０．５度（光軸中心を０度としたときの補正可能角度）である場合、シフトレンズを同じだけ移動させた場合のワイド端での補正可能角度は±５．０度となる。
【００２１】
しかし、実際には、焦点距離ごとに有効像円形が変化するために、全焦点距離で補正可能角度までシフトレンズを動作させると、周辺光量が低下する（ケラレが発生する）焦点距離範囲ができてしまう。そこで、焦点距離に応じてシフトレンズの移動量にリミッタ（制限量）を設け、ケラレが発生しないように、補正リミッタ設定部１０７で、焦点距離に応じてシフトレンズの移動量を変更する。なお、ここでのリミッタとは、シフトレンズ１３４の駆動範囲の光軸中心から端までの大きさであるとする。
【００２２】
撮像素子１３６は、レンズユニットにより結像された被写体像を光電変換する。アナログ信号処理部１３７は、撮像素子１３６で得られた信号に所定の処理を施しアナログ撮像信号を生成するものであり、例えばＣＤＳ（相関二重サンプリング）回路、ＡＧＣ（自動ゲイン調整）回路等から構成されている。カメラ信号処理部１３８はＡ／Ｄ変換器を内蔵し、デジタル信号処理を行うカメラ信号処理部であり、最終的な出力映像信号を生成する。またカメラ信号処理部１３８は周辺光量補正も行っている。
【００２３】
ズームレンズ制御部１２１は、不図示のズームスイッチの状態に応じてズームレンズドライバ１２２を制御してズームレンズ１３１を駆動制御を行い、焦点距離を変化させ、被写体像の変倍を行う（変倍動作）。ズームレンズ１３１を駆動するモータとしてはステッピングモータがよく使用されており、駆動パルス数をカウントすることで、ズームレンズ１３１の位置を検出することが可能である。よって、ズームレンズ１３１の位置から撮影レンズユニットの現在の焦点距離を求めることができ、ズームレンズ制御部１２１は焦点距離検出手段としての役割を果たす。
【００２４】
絞り１３２とＮＤフィルタ１３３は、デジタルビデオカメラ１００での撮影時に露出を制御するための部材である。撮影中に周囲が明るくなると、絞り１３２を閉じて（小絞りにして）シャッター速度を速くして撮影することで、露出を最適にして撮影することができる。しかし、絞り１３２が閉じて小絞りになると回折現象が起こり、画の解像度が著しく低下する。そこで、絞り１３２が小絞りになったときの回折現象を回避するために、ＮＤフィルタ１３３を光路上に挿入し、入射光量を減衰させている。
【００２５】
絞り制御部１４１は、絞り駆動ドライバ１４２を制御することで絞り１３２の駆動制御を行う。ＮＤフィルタ制御部１５１は、ＮＤ駆動ドライバ１５２を制御することでＮＤフィルタ１３３を駆動制御して撮像素子１３６への入射光量を制限する。同時に、ＮＤフィルタ制御部１５１は、ＮＤフィルタ１３３の動作（光路に対して挿入する動作）に応じて補正リミッタ設定部１０７によるシフトレンズ１３４の駆動範囲のリミッタを変更する。これによって、ＮＤフィルタが光路に対して挿入する動作による周辺光量変化が目立たないようにしている。
【００２６】
なお、本発明においてはシフトレンズ１３４の駆動可能な範囲は、光軸に対して直交する方向に略円形もしくは円に内接する多角形となっているものとする。そのため、リミッタ制御の行うことによって、駆動可能な範囲を表す円（もしくは駆動可能な範囲に外接する円）の半径を縮める方向にリミッタをかける。また、ＮＤフィルタ１３３の駆動位置は、ＮＤフィルタ位置センサ１５３で検出され、マイコン１２０（ＮＤフィルタ制御部１５１）にフィードバックされる。
【００２７】
図２は、デジタルビデオカメラ１００で用いられるＮＤフィルタ１３３の例を示した図である。図２（ａ）は単濃度のＮＤフィルタを組み合わせたもの、図２（ｂ）はＮＤフィルタの位置に応じてフィルタの濃度が滑らかに変化するグラデーションＮＤフィルタと呼ばれるものである。本実施例におけるＮＤフィルタ１３３は、図２（ｂ）のグラデーションＮＤフィルタであるということを前提に説明するが、どちらの場合も得られる効果は同じである。
【００２８】
図３（Ａ）は図２（ａ）の単濃度ＮＤフィルタを組み合わせたＮＤフィルタを光路に対して挿入する動作を、図３（Ｂ）は、図２（ｂ）のグラデーションＮＤフィルタを光路に対して挿入する動作を示している。なお、図３（Ａ）、（Ｂ）のどちらの場合でも、絞り値（Ｆナンバー）が第１の値（たとえばＦ４とする）の時にＮＤフィルタ１３３が動作して光路上に挿入される仕様となっている。図３（Ａ）では（ａ）〜（ｅ）が、また図３（Ｂ）では（ｃ）から（ｅ）がＮＤフィルタ１３３の光軸上への挿入部分に相当する。
【００２９】
さて、上述したようにＮＤフィルタ１３３を光路に対して挿入させると、ＮＤフィルタ１３３の動作方向に応じて上下方向あるいは左右方向の透過率の差が発生し、その結果周辺光量のアンバランスが目立つようになる。そのため、マイコン１２０内でのＮＤフィルタ制御部１５１によるＮＤフィルタが光路に対して挿入される動作に応じて補正リミッタ設定部１０７によるシフトレンズのリミッタを変更し、ＮＤフィルタ１３３の動作による周辺光量変化が目立たないようにしている。
【００３０】
次に、図４は、マイコン１２０内で実施されるプログラムのフローチャートの一部であり、ＮＤフィルタ１３３が航路に挿入されることによって光量が減衰された時のリミッタ制御について説明する。
【００３１】
先ず、ステップＳ４０１において、マイコン１２０は、焦点距離に対して設定されている、ＮＤフィルタ１３３が光路に挿入されていない時（通常時）のシフトレンズリミッタ（振れ補正の限界量）を読み込む。本実施例においては、通常時のシフトレンズ駆動量に対するリミッタはマイコン１２０内のＲＯＭデータとして設定されており、そのデータを読み出している。
【００３２】
次にステップＳ４０２にて、ＮＤフィルタ１３３が現在のところ光路に挿入されているかを判別する。ステップＳ４０３では、ステップＳ４０２での確認の結果、ＮＤフィルタ１３３が光路に挿入されている、すなわちＮＤフィルタ１３３によって光量が減衰されていれはステップＳ４０４へ進む。一方で、ＮＤフィルタ１３３が光路に挿入されていなければステップＳ４０５へと進む。
【００３３】
ステップＳ４０４では、ＮＤフィルタ１３３の位置に応じてステップＳ４０１で読み込んだリミッタデータを３通りに補正し、新たなリミッタデータを算出する。このステップＳ４０４での新たなリミッタデータの算出については図５，６を用いて後述する。その後、ステップＳ４０５で、リミッタデータを補正リミッタ設定部１０７での実際のリミッタ値として設定される。なお、ステップＳ４０５ではステップＳ４０１で読み込まれたリミッタデータが補正リミッタ設定部１０７でのリミッタ値として設定される。
【００３４】
図５は変更手段としての補正リミッタ設定部１０７が設定する、焦点距離に応じたシフトレンズ１３４のリミッタの変化を示した図である。
【００３５】
図５の５０１、５０２、５０３は本実施例におけるＮＤフィルタ１３３の位置による補正範囲（補正角度）のリミッタの変更量を示している。５０１は通常時、すなわちＮＤフィルタが光路に挿入されていないときのリミッタの変化を示している。５０２はＮＤフィルタにより光量が１段分減衰された場合のリミッタの変化を示している。５０３はＮＤフィルタにより光量が２段分減衰された場合のリミッタの変化を示している。図５の通り、望遠側（テレ側）の方が、基本的には広角側（ワイド側）よりも補正範囲（補正角度）が制限されるようになっている。
【００３６】
なお、ＮＤフィルタ１３３が全覆い、即ちＮＤフィルタ１３３の最も暗い部分が光路に入った場合（図４（Ｂ）における（ｅ）の位置）は、３段分光量が減衰されるが、ＮＤフィルタのグラデーション効果による光量のアンバランスはなくなる。しかしながら、絞り値（Ｆナンバー）に応じた光量落ちが発生するため、リミッタを再度広げるようにはなっていない。
【００３７】
以上の動作により、ＮＤフィルタ１３３の挿入による時にシフトレンズ１３４のリミッタ値を設定し直すことができる。ＮＤフィルタ１３３を挿入する時は、シフトレンズ１３４の補正範囲のリミッタを制限することにより、シフトレンズ１３４による振れ補正範囲（補正角度）が減り、防振性能が低下するおそれがある。しかしながら、ＮＤフィルタ１３３を挿入することによる周辺光量落ちを緩和することが可能となり、撮影された画の質を上げることが可能となる。
【００３８】
図６は、リミッタ変更の前後の像高に対する焦点距離毎の光量変化を示した図である。横軸が像高であり、光軸中心を０、有効像円の最大径を１．０とした時の距離の割合を示しており、縦軸は光軸中心の光量が１．０とした時の光量比を示している。図６（Ａ）がリミッタ変更する前の光量変化、図６（Ｂ）は本発明を適用した場合の光量変化を示している。この図からも明らかなように、像高１０割（１．０）近傍、即ちシフトレンズ１３４が有効像円の最大径の近傍にある場合において周辺光量落ちが改善していることがわかる。
【００３９】
以上のように、ＮＤフィルタの位置（入射光の光量減衰量）に応じてシフトレンズ１３４による補正範囲を変更することで、ＮＤフィルタの状態が変化してもその影響による周辺光量変化が目立たない光学機器を提供することが可能となる。
【００４０】
尚、本実施例の図４のＳ４０４の制御では、図５（ａ）のように、ＮＤフィルタの位置に応じて３通りのリミッタの設定をしている。しかしＮＤフィルタによる入射光量の減衰量（光量減衰量）は、例えば１／１６段刻みで変更することもできる。また、段階的に変更するのではなく、ＮＤフィルタを挿入することによる減衰量とシフトレンズ１３４の補正範囲を対応付けたテーブルを用意して参照する、あるいは線形補間によりリミッタを算出しても構わない。
【００４１】
＜第２の実施形態＞
次に、本発明の第２の実施例について説明する。
【００４２】
本実施例では、ＮＤフィルタ１３３が光路に対して挿入される動作に応じた、シフトレンズ１３４の駆動範囲のリミッタの変更を、ＮＤフィルタによる影響が現れる方向のみ行う。このようにすることで、シフトレンズ１３４による振れ補正の範囲をできる限り広く取ることができるため、振れ補正性能の劣化をより少なくとどめて周辺光量落ちを回避することが可能となる。なお、本実施例のデジタルビデオカメラ１００の構成は、第１の実施例と同じであため、説明は省略する。
【００４３】
図３で示したように、ＮＤフィルタ１３３は、画面の上下左右のいずれか一方から光路に挿入される。そのため、ＮＤフィルタ１３３の挿入方向により、画面の左右上下で明るさが異なることになる。撮影映像上では、ＮＤフィルタ１３３が挿入される方向とは逆の方向、すなわち、画面に投影したときに下方向に相当する方向からＮＤフィルタ１３３が挿入される場合は、画面の上側がより光量の低下が目立つようになる。
【００４４】
これに対し、シフトレンズ動作方向を見てみると、同じように、シフトレンズが動いた方向の光量が低下する、よって、ＮＤフィルタの挿入方向と、シフトレンズの駆動方向が同じである場合に最も周辺光量落ちが目立つことになる。
【００４５】
図７は、本発明の第２の実施例の動作を示す、マイコン１２０内のフローチャートである。以下、図７を基に、本発明の第２の実施例について、その動作を説明する。
【００４６】
図７において、Ｓ７０１では、ＮＤフィルタ１３３が光路に挿入されていない時（通常時）のシフトレンズ１３４のリミッタデータを読み込む。そしてＳ７０２で、ＮＤフィルタ１３３の制御状態を確認する。ＮＤフィルタが光路に挿入されていれば、Ｓ７０３で光量制限実行中と判定され、Ｓ７０４へと進む。Ｓ７０４ではＮＤフィルタの光路への挿入方向を確認する。Ｓ７０５では、シフトレンズ１３４の動作方向を確認する。
【００４７】
次いでＳ７０６で、ＮＤフィルタ１３３の挿入方向と現在のシフトレンズの駆動方向が同じかどうか、すなわち周辺光量落ちが増加する方向であるかどうかの判定を行う。ＮＤフィルタ１３３の挿入方向と現在のシフトレンズの駆動方向が同じであれば、Ｓ７０７において、ＮＤフィルタ１３３による現在の光量制限量に応じて、Ｓ７０１で読み込んだリミッタデータを補正する。そして、Ｓ７０８において、Ｓ７０７にて補正したリミッタデータを補正リミッタ設定部１０７の設定データに設定する。
【００４８】
なお、Ｓ７０３でＮＤフィルタ１３３による光量制限が行われていない場合、あるいは光量制限が行われていても、Ｓ７０６でＮＤフィルタ１３３の挿入方向とシフトレンズの駆動方向が逆の場合は、Ｓ７０８へ進む。即ち、リミッタデータはＳ７０１で読み込んだデータのまま、Ｓ７０８にて補正リミッタ設定部１０７に設定される。
【００４９】
以上の動作により、ＮＤフィルタの挿入により周辺光量落ちが懸念される場合に、シフトレンズの動作方向に応じ、周辺光量落ちが大きい場合のみシフトレンズ動作にリミッタがかかることになる。これにより、シフトレンズによる振れ補正角度をできる限り取ると同時に、周辺光量落ちも緩和することが可能となる。
【００５０】
また、本実施例では、ＮＤフィルタの光路への挿入方向を確認しているため、ＮＤフィルタの挿入方向が、上下左右いずれの方向であっても、挿入方向にかかわらず周辺光量の低下に対応することができる。
【００５１】
＜第３の実施形態＞
次に本発明の第３の実施例について説明する。
【００５２】
第３の実施例は、第１、２の実施例とは異なり、ＮＤフィルタが絞りに張り付けてある構成の撮影光学系であるとし、この光学系の制御に関するものである。この構成はレンズの小型化を実現するために用いられ、絞りが所定の絞り値まで閉じると、ＮＤフィルタが光路を覆うようになっている。
【００５３】
図８は、本発明の第３の実施例を示す構成図であり、図１と同じ構成のものは同じ符号を付し、説明を省略する。
【００５４】
図８において、８０１は絞りである。８０２はＮＤフィルタであり、絞り８０１に張り付けられている構成であるとする。このため、ＮＤフィルタ８０２は絞り８０１と連動して動くことになる。８０３は絞り位置検出センサであり、８０４は絞り８０１の動作（ＮＤフィルタ８０２の動作と同じである）を制御する絞り制御部である。８０５は絞りの状態（ＮＤフィルタの状態と同じである）によりシフトレンズの補正リミッタを設定する変更手段としての補正リミッタ設定部である。８０６は１２０と同様、本実施例でのカメラ制御マイコンである。
【００５５】
図９は絞り８０１の絞り羽根にＮＤフィルタ８０２を貼り付けた場合の絞り８０１の開口（絞り開口）とＮＤフィルタ８０２の位置について簡易的に示したものである。図９（ａ）は絞り８０１の開放時の状態を示している。
【００５６】
図９（ａ）から（ｅ）への状態へとなるに従って、絞り８０１が小絞りになるが、それと同時にＮＤフィルタ８０２が光路に挿入されるようになりる。ここで、Ｆ値が第２の値（本実施例においてはＦ５．６）を超えたところで、ＮＤフィルタ８０２が光路に挿入され覆われることになる。この絞り８０１の動きに対するＮＤフィルタ８０２による光量の制限量は、ＮＤフィルタ８０２が絞り８０１の絞り羽根に張り付けられているため、絞り８０１の動き位置から求めることができる。
【００５７】
図１０は、本発明の第３の実施例を実現するためのマイコン８０６の内部のフローチャートである。以下、図８および図１０を用いて本発明の第３の実施例について説明する。
【００５８】
図１０のＳ９０１ではマイコン８０６の内部の不図示のＲＯＭに記憶されている、ＮＤフィルタ８０２が光路に挿入されない状態の時（通常時）のシフトレンズリミッタ（振れ補正の限界量）を読み込む。Ｓ９０２において、絞り位置センサ８０３の出力から現在の絞り８０１の位置情報を取得する。
【００５９】
次にＳ９０３にて、Ｓ９０２で取得した絞り８０１の位置情報から、現在のＦ値が第１の値（本実施例においてはＦ４）よりも開放側であるかどうかを判定する。開放側でない場合、すなわち小絞り側である時、Ｓ９０４へと進み、ここでは同じくＳ９０２で取得した情報からＦ値が第２の値（Ｆ５．６）より小絞り側であるかどうかの判定を行う。小絞り側でない場合はＳ９０５で、取得したＦ値に応じて、Ｓ９０１で読み込んだリミッタデータを補正、新たなリミッタデータを得る。そして、Ｓ９０７で、得られたリミッタデータを補正リミッタ設定部８０５のリミッタ値に設定する。
【００６０】
Ｓ９０４でＦ値が第２の値（Ｆ５．６）より小絞りの状態である場合は、ＮＤフィルタが光路に挿入され覆われている状態である。このため、Ｓ９０６にて、マイコン８０６のＲＯＭデータから小絞り時に対応したリミッタデータを読み込む。
【００６１】
また、Ｓ９０３で絞り値がＦ４よりも開放側であると判断された場合は、ＮＤフィルタがまだ光路上を覆い始めていないため、Ｓ９０７へと進む。そして、Ｓ９０７にて、現在読み込まれているリミッタデータを補正リミッタ設定部８０５のリミッタ値に設定する。
【００６２】
以上の動作により、ＮＤフィルタが絞りに貼り付けられた場合においても絞りの状態を確認することによりＮＤフィルタによる光量制限量がわかり、この制限量に応じて周辺光量落ちが目立たないようにシフトレンズのリミッタを設定することができる。
【００６３】
また、第１の実施例と同様、ＮＤフィルタが絞り羽根に張り付いた構成においても、ＮＤフィルタによる周辺光量の変化は、焦点距離に応じて変化するものである。そして前述のマイコン８０６の内部のＲＯＭに用意されているシフトレンズのリミッタ値は、焦点距離に応じて変化し、ＮＤフィルタによるリミッタデータの補正量も焦点距離に応じて変化する。
【００６４】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【００６５】
また、上述の実施形態の機能を実現するソフトウェアのプログラムを、記録媒体から直接、或いは有線／無線通信を用いてプログラムを実行可能なコンピュータを有するシステム又は装置に供給し、そのプログラムを実行する場合も本発明に含む。
【符号の説明】
【００６６】
１０１  角速度センサ
１３３  ＮＤフィルタ
１３４  シフトレンズ
【図１】
0005721423.tif 000002
【図２】
0005721423.tif 000003
【図３】
0005721423.tif 000004
【図４】
0005721423.tif 000005
【図５】
0005721423.tif 000006
【図６】
0005721423.tif 000007
【図７】
0005721423.tif 000008
【図８】
0005721423.tif 000009
【図９】
0005721423.tif 000010
【図１０】
0005721423.tif 000011